(57)【要約】【課題】自力で手を開くことが困難な人や自力では全く開くことができない人の手を開いた状態に維持することができ、かつ、着用が容易である手のサポーターを提供することを目的とする。【解決手段】上記の目的を解決するために、本発明の手のサポーター１は、指が出た状態で手を覆う本体部２と、握り玉４と、握り玉４を収容するポケット３とを有するものであり、指が出た状態で手を覆うようにしたために着用が容易であり、握り玉４を握らせることにより、無理なく手を開いた状態を維持することができる。【選択図】図１
2004283464.tif 000002
【特許請求の範囲】
【請求項１】
指が出た状態で手を覆う本体部と、握り玉と、握り玉を収容するポケットとを有する手のサポーター。
【請求項２】
指が出た状態で手を覆う筒状の本体部と、パイプ粒またはタオル地布からなる握り玉と、握り玉を収容するポケットとを有する手のサポーター。
【請求項３】
指が出た状態で手を覆う本体部と、この本体部の上部に設けられた指と指とを分ける短冊状布片と、短冊状布片の先端部に設けられた係止部材と、握り玉と、この握り玉を収容するポケットを備えたポケット布片を有し、このポケット布片は細長い形状であり、一端を本体部で掌の下部に当たる位置に接続されており、他端側にポケットが設けられており、接続された位置からポケットまでの間に握り玉を半回転以上巻き込むだけの長さの巻き込み部を有する手のサポーター。
【請求項４】
先端に係止部材が設けられた親指と人差し指を分離するための布片を有する請求項３に記載の手のサポーター。
【請求項５】
パイプ粒またはタオル地布からなる握り玉を有する請求項３または請求項４に記載の手のサポーター。
【請求項６】
消臭剤、乾燥剤または吸湿材を有する請求項３または請求項５に記載の手のサポーター。
【請求項７】
パイプ粒またはタオル地布からなり、消臭剤、乾燥剤または吸湿材を有する握り玉。
【発明の詳細な説明】
【０００１】
【発明の属する技術分野】本発明は、自分の力で手を開いた状態に維持することが困難な人や自力では全く開くことができない人に対し、手を開いた状態に維持するための手のサポーターに関するものである。
【０００２】
【従来の技術】病気や障害により、自力では自分の手を開いた状態に維持することが困難な人がある。このように手を閉じた状態が長期間続くと発汗等により掌や指と指との間が汚れて不衛生になる上に、指の血液循環が悪くなって活性が失われたり、さらには脳の活性が低下したりする場合がある。このような場合に、従来は、介護者が被介護者の手を摩擦して指を伸ばしたり、掌にものを握らせたり開かせたりの介護をしたり、また、指と指との間に布をはさみこれを頻繁に交換したりしていたが、これらは、介護者に大きな負担を強いる作業であった。そこで、特許文献１には、指先部を開放した手袋の掌部分にポケットを設け、このポケットにスポンジ片を入れたものを被介護者に着用させて指先を伸ばすことが記載されている。また、特許文献２には、親指差込穴と他の指の間を分ける３本の細い布を設けた介護用手袋が記載されている。
【０００３】
【特許文献１】実願２０００−９０１２号明細書
【特許文献２】実願２００２−５３８３号明細書
【０００４】
【発明が解決しようとする課題】。特許文献１の手袋は、指が入る４本の袋を持った手袋構造のものであるために、着用するためには指をこの袋に入れなくてはならない。しかし、自力で手を開くことができない者はこの作業が行えない。また、介護者にとってもこの作業は面倒である。さらに、ポケットに入れられたスポンジ片は油成分を含んでいるため、長時間握らせるのに適しないことが判明した。特許文献１の介護用手袋は、親指差込穴に親指を通して着用するものであるため、自力で手を開くことができない者に着用させることはやはり困難であった。また、握り玉を面ファスナーで固定する方式であるために、手袋着用後に介護者の手を強制的に開かせてから固定することになるが、この作業を一人の介護者が行うことは大きな負担となることも判明した。
【０００５】上述の課題は、本発明者らが現実の介護現場で実施しながら鋭意検討して明らかになったものであるが、この発明は、これらの課題を解決し、自力で手を開くことが困難な者の手を開いた状態に維持することができ、かつ、着用が容易である手のサポーターを提供することを目的とする。
【０００６】
【課題を解決するための手段】上記の目的を解決するために、本発明の手のサポーターは、指が出た状態で手を覆う本体部と、握り玉と、握り玉を収容するポケットとを有する手のサポーターである。また、指が出た状態で手を覆う筒状の本体部と、パイプ粒またはタオル地布からなる握り玉と、握り玉を収容するポケットとを有する手のサポーターとしてもよい。あるいは、指が出た状態で手を覆う本体部と、この本体部の上部に設けられた指と指とを分ける短冊状布片と、短冊状布片の先端部に設けられた係止部材と、握り玉と、この握り玉を収容するポケットを備えたポケット布片を有し、このポケット布片は細長い形状であり、一端を本体部で掌の下部に当たる位置に接続されており、他端側にポケットが設けられており、接続された位置からポケットまでの間に握り玉を半回転以上巻き込むだけの長さの巻き込み部を有するものとする。先端に係止部材が設けられた親指と人差し指を分離するための布片を有するようにしたり、パイプ粒またはタオル地布からなる握り玉としたり、さらに、消臭剤、乾燥剤または吸湿材を有するものとすることもできる
【０００７】さらに、本発明の握り玉は、パイプ粒またはタオル地布からなり、消臭剤、乾燥剤または吸湿材を有するものである。
【０００８】
【発明の実施の形態】本発明に係る手のサポーターは、自力で手を開くことが困難な人や自力では全く開くことができない人に着用するものである。手のサポーターは手を覆う本体部を有するが、この本体部は指を入れる袋を有する手袋構造やミトン状構造と異なり、指が出た状態で手を覆うものである。筒状の布としてもよく、略長方形状の布として、手を筒状にくるんだ後に、面ファスナー等の係止部材でとじるものでもよい。この本体部の掌側には握り玉を収容するポケットを備えている。この、ポケットに握り玉を入れて着用させることにより、掌で握り玉を握る状態になるために、手は開かれた状態を維持することができる。
【０００９】
【実施例１】次にこの発明の第一の実施例について図面に基づいて説明する。図１は手のサポーターの正面図である。手のサポーター１は上下に開放した筒状の本体部２を備えている。この本体部の上部で少なくとも一つの面にはポケットが設けられている。このポケットは握り玉４を収容できるような大きさに形成されている。本例ではポケットの入口は下向きに設けられており、着用時に指をすこし開けただけで握り玉の着脱が容易に行えるようになっている。図１において本体部１の左側には親指を通すための親指差込穴５が設けられいる。
【００１０】ここで、ポケット３と親指差込穴５をそれぞれ一つずつのみ設ける場合は、手のサポーターは右手用と左手用の２種類が必要となる。そこで、本実施例においては、本体部２の両面にポケットを設け、左右兼用とした。左右何れの手に着用した場合にも、掌側にポケットがある。また、ポケットを２箇所に設ける以外にも、親指差込穴５を左右それぞれに設けて左右兼用とすることもできる。
【００１１】握り玉は、掌の中に入ったときに指がある程度開くような大きさとする。具体的には、使用者の手の大きさや手の障害の程度に合わせて決めることになる。大小複数の大きさの握り玉をそろえてもよい。また、小さめの握り玉として、必要に応じて使用する個数を調整することもできる。たとえば、リハビリテーション初期で手がほとんど開けない場合には１個の握り玉をいれ、リハビリテーションが進むにつれて握り玉の個数を増やすこともできる。
【００１２】本実施例において握り玉４は、合成樹脂のパイプを短く切ったパイプ粒を布の袋に入れて作成したものである。パイプ粒を使用することにより、通気がよくなり長期間快適に使用できる。また、タオル地布で作成しても快適な手触りとなる。これらの素材はスポンジのような油成分を含まないので、長期間使用しても接触部の皮膚に悪影響を与えにくい。握り玉４の中には消臭剤、乾燥剤または吸湿材を入れることにより、手のむれや悪臭を防止できる。消臭剤、乾燥剤または吸湿材は、握り玉４とは別のパッケージにしたり、あるいは直接ポケットに入れて使用することもできる。たとえば、重曹は安価で入手も容易であるので適している。
【００１３】図２は、この実施例の手のサポーター１の使用状態を示す説明図である。筒状の本体部２の下から手を入れ、４本の指が上から完全に出る様な形で着用する。親指は本体部２の側面の親指差込穴５に通す。この状態でポケット３は掌側に位置するが、ポケット内部には握り玉４が収容されている。したがって着用時には握り玉を握り込む形になり、着用を続けている限り手は開いた状態に維持される。
【００１４】このように４本の指が完全に出る筒状の本体部２に直接ポケット３が設けられた構造であるために着用が容易であり、介護者は簡単に着用させることができ、さらに障害の軽い患者であれば、自力で着用することも可能である。
【００１５】
【実施例２】ついで、この発明の第二の実施例について説明する。図３はこの実施例の手のサポーターを示す正面図である。図３に示す手のサポーター１は左手用のものであるが、右手用もこれと左右対称である以外に相違点はない。この実施例において本体部２は使用していない状態では開いた略長方形状の布である。
【００１６】本体部２の上部には３本の細長い短冊状布片６が設けられている。この短冊状布片６の先端部には図３において裏面側に係止部材７が設けられている。この係止部材７は、ボタンやホック等であってもよいが、面ファスナーが使用しやすく洗濯しやすいので好ましい。また、本体部２の左上部にもやや太い布片８が設けられており、先端部の裏面には係止部材９が設けられている。布片８の下は凹部１０となっており、その凹部１０の下に別の布片１１が設けられている。この布片１１の裏側にも係止部材１２が設けられている。
【００１７】また、本実施例においてはポケット布片１３が設けられており、ポケット３はこのポケット布片１３に設けられている。このポケット布片１３は細長い略長方形上の布であって一端側が本体部２と接続している。本例では縫製によって取付けられている。そして、他端側にはポケット３が設けられており、このポケット３と接続部分はある程度離れている。この接続された位置からポケットまで部分が巻き込み部１４であり、ポケット３に握り玉４を入れた状態で、握り玉４を半回転以上巻き込むだけの長さを有する。なお、本例では、３本の短冊状布片６とポケット布片１３は一体に形成されているが、別々に形成してもよい。
【００１８】次に、この実施例の手のサポーター１の作用について説明する。図４はこの実施例の手のサポーター１の使用状態を示す説明図である。あらかじめポケット３に握り玉４を入れた上で、図４ａに示すように被介護者の左手首に本体部２を巻きつけ、下側の布片１１を係止部材でとめる。この状態で、布片８を掌側から親指と人差し指の間に通し、係止部材９にて手の甲側でその先端部を固定する。この作業は、患者の手を無理に大きく開かせることなく行えるので、介護者にとっても被介護者にとっても負担が少なく容易である。次に、短冊状布片手６を掌側から指と指の間に通し、係止部材７にて手の甲側で先端部を固定する。以上で、手のサポーターが着用されるが、ここまでの作業は患者が指を握った状態のままでも行うことができる。これで、５本の指と指とが全て分離された状態になり、指同士および指と掌の間で皮膚が接触しなくなるとともに通気がよくなる。ついで、握り玉４を巻き込み部１３で巻き込みながら上げていき、掌と指の間に入れ、握らせた状態にする。この作業も、患者の手を無理に大きく開けさせることなく行うことができる。このようにして、握り玉４を握らせることにより、手が開いた状態になり、指先への血行もよくなる。
【００１９】
【発明の効果】以上、この発明は、自力で手を開くことが困難な者の手を開いた状態に維持することができる手のサポーターを容易に着用することができるという効果を有する。
【図面の簡単な説明】
【図１】この発明の第一の実施例の手のサポーターを示す正面図である。
【図２】この発明の第一の実施例の手のサポーターの使用状態を示す説明図である。
【図３】この発明の第二の実施例の手のサポーターを示す正面図である。
【図４】この発明の第二の実施例の手のサポーターの使用状態を示す説明図である。
【符号の説明】
１．手のサポーター
２．本体部
３．ポケット
４．握り玉
５．親指差込穴
６．短冊状布片
８．布片
１３．ポケット布片
１４．巻き込み部
【図１】
2004283464.tif 000003
【図２】
2004283464.tif 000004
【図３】
2004283464.tif 000005
【図４】
2004283464.tif 000006